(57)【要約】      （修正有）【課題】既存マンホールを活かしながら最小の改修で既存マンホールを補強して、マンホール蓋が浮き上がり、マンホール内への人の転落、受枠付きコンクリート縁巻きのガタつきなどを防止し、改修費用の低廉化及び改修期間の短縮化並びに長寿命化を図るマンホールの改修補強構造を提供する。【解決手段】マンホール蓋４の下面に浮き上がり防止片１１を固定し、浮き上がり防止片受け１４をマンホール５の内周壁面５１に固定し、内部に格子桁が交差して配置された周縁外枠を内周壁面５１に支持し、ガタつく受枠付きコンクリート縁巻き５３に打ち込まれた被支持アンカーとその下方の頑丈なマンホール躯体５４に打ち込まれた支持アンカーとを上下方向に配置された連結板に連結した。【選択図】図１
0003177340.tif 000002
【実用新案登録請求の範囲】
【請求項１】
マンホール蓋の下面に浮き上がり防止片を固定し、浮き上がり防止片と係合し浮き上がり防止片が上向きに移動するのを阻止する浮き上がり防止片受けをマンホールの内周壁面に固定して、マンホール蓋が浮き上がるのを防止することを特徴とする既存マンホールの改修補強構造。
【請求項２】
マンホール蓋の下面に断面コ字型の浮き上がり防止片の上板を連結ボルトを介して固定し、上記上板に側板を通じて連結される浮き上がり防止片の下板と係合する係合穴を有し浮き上がり防止片が上向きに移動するのを上記下板と係合穴の係合を通じて阻止する浮き上がり防止片受けを、マンホールの内周壁面に固定される連結板に取り付けて、マンホール蓋が浮き上がるのを防止することを特徴とする既存マンホールの改修補強構造。
【請求項３】
マンホール蓋の下面に浮き上がり防止片を固定し、浮き上がり防止片と係合し浮き上がり防止片が上向きに移動するのを阻止する浮き上がり防止片受けをマンホールの内周壁面に固定して、マンホール蓋が浮き上がるのを防止すると共に、内部に格子桁が交差して配置され各格子桁の両端が連結された周縁外枠をマンホールの内周壁面に支持して、格子桁と周縁外枠によりマンホール内に人が転落するのを防止することを特徴とする既存マンホールの改修補強構造。
【請求項４】
マンホール蓋の下面に断面コ字型の浮き上がり防止片の上板を連結ボルトを介して固定し、上記上板に側板を通じて連結される浮き上がり防止片の下板と係合する係合穴を有し浮き上がり防止片が上向きに移動するのを上記下板と係合穴の係合を通じて阻止する浮き上がり防止片受けを、マンホールの内周壁面に固定される連結板に取り付けて、マンホール蓋が浮き上がるのを防止すると共に、内部に格子桁が交差して配置され各格子桁の両端が連結された周縁外枠を、マンホールの内周壁面に固定される連結板に取り付けてマンホールの内周壁面に支持して、格子桁と周縁外枠によりマンホール内に人が転落するのを防止することを特徴とする既存マンホールの改修補強構造。
【請求項５】
マンホール蓋の下面に浮き上がり防止片を固定し、浮き上がり防止片と係合し浮き上がり防止片が上向きに移動するのを阻止する浮き上がり防止片受けをマンホールの内周壁面に固定して、マンホール蓋が浮き上がるのを防止し、内部に格子桁が交差して配置され各格子桁の両端が連結された周縁外枠をマンホールの内周壁面に支持して、格子桁と周縁外枠によりマンホール内に人が転落するのを防止すると共に、ガタつく受枠付きコンクリート縁巻きに打ち込まれた被支持アンカーとその下方の頑丈なマンホール躯体に打ち込まれた支持アンカーとを上下方向に配置された連結板に連結し、これらの被支持アンカー、連結板及び支持アンカーを介してガタつく受枠付きコンクリート縁巻きをその下方の頑丈なマンホール躯体で支持して、受枠付きコンクリート縁巻きがガタつくのを防止することを特徴とする既存マンホールの改修補強構造。
【請求項６】
マンホール蓋の下面に断面コ字型の浮き上がり防止片の上板を連結ボルトを介して固定し、上記上板に側板を通じて連結される浮き上がり防止片の下板と係合する係合穴を有し浮き上がり防止片が上向きに移動するのを上記下板と係合穴の係合を通じて阻止する浮き上がり防止片受けを、マンホールの内周壁面に固定される連結板に取り付けて、マンホール蓋が浮き上がるのを防止し、内部に格子桁が交差して配置され各格子桁の両端が連結された周縁外枠を、マンホールの内周壁面に固定される連結板に取り付けてマンホールの内周壁面に支持して、格子桁と周縁外枠によりマンホール内に人が転落するのを防止すると共に、ガタつく受枠付きコンクリート縁巻きに打ち込まれた被支持アンカーとその下方の頑丈なマンホール躯体に打ち込まれた支持アンカーとを上下方向に配置された連結板に連結し、これらの被支持アンカー、連結板及び支持アンカーを介してガタつく受枠付きコンクリート縁巻きをその下方の頑丈なマンホール躯体で支持して、受枠付きコンクリート縁巻きがガタつくのを防止することを特徴とする既存マンホールの改修補強構造。
【請求項７】
マンホール蓋の蓋外し方向と平行な延長線上の浮き上がり防止片受けの後方のマンホール蓋に、該マンホール蓋の表面に突出する摘み頭部を有する蓋外し解除摘みが、上下方向に貫通して上下に移動自在に設けられて、マンホール蓋が簡単に外れるのを防ぐ請求項１〜請求項６の何れかに記載の既存マンホールの改修補強構造。
【考案の詳細な説明】
【技術分野】
【０００１】
この考案は、既に長年にわたって使用されている既存マンホールを改修する技術に係り、特に、現状の既存マンホールを活かしながら最小の改修で既存マンホールを補強して長寿命化を図るようにした既存マンホールの改修補強構造に関するものである。
【背景技術】
【０００２】
地中に埋設された下水道管にあっては、検査又は清掃などのために、人が出入りできる縦坑のマンホールが例えば２０ｍ〜２５ｍにおきに設置されている。マンホールはコンクリート躯体でその周囲が構築され、地表面付近ではコンクリート躯体の上部側に直に、又は高さ調整モルタルを介在させて、受枠付きコンクリート縁巻きが形成され、地表面にはこの受枠で支持されるマンホール蓋が取り付けられている。
ところで、既存のマンホールの中には、集中豪雨などにより短時間に大量の雨水が下水道内に流れ込んで上昇した水位によりマンホール蓋が浮き上がったり、マンホール内への人の転落、受枠付きコンクリート縁巻きのガタつきなどの諸問題が生じており、早期にこれらを防止するための改修工事が必要になってきているものもが多数存在する。
【考案の概要】
【考案が解決しようとする課題】
【０００３】
しかしながら、マンホールの改修にあたって、上記の諸問題を解決するために、コンクリート躯体の上部側に形成されている受枠付きコンクリート縁巻き及びマンホール蓋の双方を交換するには多大なコストがかかり、また、受枠付きコンクリート縁巻きをはつり、新たに受枠付きコンクリート縁巻きを施工するには手間と時間がかかるなどの問題がある。
【０００４】
この考案は、上記のような課題に鑑み、その課題を解決すべく創案されたものであって、その目的とするところは、現状の既存マンホールを活かしながら最小の改修で既存マンホールを補強して、マンホール蓋が浮き上がり、マンホール内への人の転落、受枠付きコンクリート縁巻きのガタつきなどを防止し、改修費用の低廉化及び改修期間の短縮化並びに長寿命化を図ることのできる既存マンホールの改修補強構造を提供することにある。
【課題を解決するための手段】
【０００５】
以上の課題を達成するために、請求項１の考案は、マンホール蓋の下面に浮き上がり防止片を固定し、浮き上がり防止片と係合し浮き上がり防止片が上向きに移動するのを阻止する浮き上がり防止片受けをマンホールの内周壁面に固定して、マンホール蓋が浮き上がるのを防止する手段よりなるものである。
【０００６】
また、請求項２の考案は、マンホール蓋の下面に断面コ字型の浮き上がり防止片の上板を連結ボルトを介して固定し、上記上板に側板を通じて連結される浮き上がり防止片の下板と係合する係合穴を有し浮き上がり防止片が上向きに移動するのを上記下板と係合穴の係合を通じて阻止する浮き上がり防止片受けを、マンホールの内周壁面に固定される連結板に取り付けて、マンホール蓋が浮き上がるのを防止する手段よりなるものである。
【０００７】
また、請求項３の考案は、マンホール蓋の下面に浮き上がり防止片を固定し、浮き上がり防止片と係合し浮き上がり防止片が上向きに移動するのを阻止する浮き上がり防止片受けをマンホールの内周壁面に固定して、マンホール蓋が浮き上がるのを防止すると共に、内部に格子桁が交差して配置され各格子桁の両端が連結された周縁外枠をマンホールの内周壁面に支持して、格子桁と周縁外枠によりマンホール内に人が転落するのを防止する手段よりなるものである。
【０００８】
また、請求項４の考案は、マンホール蓋の下面に断面コ字型の浮き上がり防止片の上板を連結ボルトを介して固定し、上記上板に側板を通じて連結される浮き上がり防止片の下板と係合する係合穴を有し浮き上がり防止片が上向きに移動するのを上記下板と係合穴の係合を通じて阻止する浮き上がり防止片受けを、マンホールの内周壁面に固定される連結板に取り付けて、マンホール蓋が浮き上がるのを防止すると共に、内部に格子桁が交差して配置され各格子桁の両端が連結された周縁外枠を、マンホールの内周壁面に固定される連結板に取り付けてマンホールの内周壁面に支持して、格子桁と周縁外枠によりマンホール内に人が転落するのを防止する手段よりなるものである。
【０００９】
また、請求項５の考案は、マンホール蓋の下面に浮き上がり防止片を固定し、浮き上がり防止片と係合し浮き上がり防止片が上向きに移動するのを阻止する浮き上がり防止片受けをマンホールの内周壁面に固定して、マンホール蓋が浮き上がるのを防止し、内部に格子桁が交差して配置され各格子桁の両端が連結された周縁外枠をマンホールの内周壁面に支持して、格子桁と周縁外枠によりマンホール内に人が転落するのを防止すると共に、ガタつく受枠付きコンクリート縁巻きに打ち込まれた被支持アンカーとその下方の頑丈なマンホール躯体に打ち込まれた支持アンカーとを上下方向に配置された連結板に連結し、これらの被支持アンカー、連結板及び支持アンカーを介してガタつく受枠付きコンクリート縁巻きをその下方の頑丈なマンホール躯体で支持して、受枠付きコンクリート縁巻きがガタつくのを防止する手段よりなるものである。
【００１０】
また、請求項６の考案は、マンホール蓋の下面に断面コ字型の浮き上がり防止片の上板を連結ボルトを介して固定し、上記上板に側板を通じて連結される浮き上がり防止片の下板と係合する係合穴を有し浮き上がり防止片が上向きに移動するのを上記下板と係合穴の係合を通じて阻止する浮き上がり防止片受けを、マンホールの内周壁面に固定される連結板に取り付けて、マンホール蓋が浮き上がるのを防止し、内部に格子桁が交差して配置され各格子桁の両端が連結された周縁外枠を、マンホールの内周壁面に固定される連結板に取り付けてマンホールの内周壁面に支持して、格子桁と周縁外枠によりマンホール内に人が転落するのを防止すると共に、ガタつく受枠付きコンクリート縁巻きに打ち込まれた被支持アンカーとその下方の頑丈なマンホール躯体に打ち込まれた支持アンカーとを上下方向に配置された連結板に連結し、これらの被支持アンカー、連結板及び支持アンカーを介してガタつく受枠付きコンクリート縁巻きをその下方の頑丈なマンホール躯体で支持して、受枠付きコンクリート縁巻きがガタつくのを防止する手段よりなるものである。
【００１１】
また、請求項７の考案は、請求項１〜請求項６の好ましい態様として、マンホール蓋の蓋外し方向と平行な延長線上の浮き上がり防止片受けの後方のマンホール蓋に、該マンホール蓋の表面に突出する摘み頭部を有する蓋外し解除摘みが、上下方向に貫通して上下に移動自在に設けられて、マンホール蓋が簡単に外れるのを防ぐ手段よりなるものである。
【考案の効果】
【００１２】
請求項１、２の考案に係る既存マンホールの改修補強構造によれば、マンホール蓋の下面に固定した浮き上がり防止片と、マンホールの内周壁面に固定した浮き上がり防止片受けとが係合して、浮き上がり防止片が上向きに移動するのを阻止することができ、浮き上がり防止片の上向き移動を阻止することで、これが固定されるマンホール蓋が浮き上がるのを防止することができる。
このように、現状の既存マンホールを活かしながら最小の改修で既存マンホールを補強して、マンホール蓋が浮き上がりを防止し、改修費用の低廉化及び改修期間の短縮化並びに長寿命化を図ることができる。
【００１３】
請求項３、４の考案に係る既存マンホールの改修補強構造によれば、マンホール蓋の下面に固定した浮き上がり防止片と、マンホールの内周壁面に固定した浮き上がり防止片受けとが係合して、浮き上がり防止片が上向きに移動するのを阻止することができ、浮き上がり防止片の上向き移動を阻止することで、これが固定されるマンホール蓋が浮き上がるのを防止することができる。
しかも、内部に格子桁が交差して配置され各格子桁の両端が連結された周縁外枠をマンホールの内周壁面に支持することにより、格子桁と周縁外枠によりマンホール内に転落する人を支えることでき、マンホール内に人が転落するのを防止することができる。
このように、現状の既存マンホールを活かしながら最小の改修で既存マンホールを補強して、マンホール蓋が浮き上がり、マンホール内への人の転落などを防止し、改修費用の低廉化及び改修期間の短縮化並びに長寿命化を図ることができる。
【００１４】
請求項５、６の考案に係る既存マンホールの改修補強構造によれば、マンホール蓋の下面に固定した浮き上がり防止片と、マンホールの内周壁面に固定した浮き上がり防止片受けとが係合して、浮き上がり防止片が上向きに移動するのを阻止することができ、浮き上がり防止片の上向き移動を阻止することで、これが固定されるマンホール蓋が浮き上がるのを防止することができる。
しかも、内部に格子桁が交差して配置され各格子桁の両端が連結された周縁外枠をマンホールの内周壁面に支持することにより、格子桁と周縁外枠によりマンホール内に転落する人を支えることでき、マンホール内に人が転落するのを防止することができる。
さらに、ガタつく受枠付きコンクリート縁巻きに打ち込まれた被支持アンカーとその下方の頑丈なマンホール躯体に打ち込まれた支持アンカーとを上下方向に配置された連結板に連結し、これらの被支持アンカー、連結板及び支持アンカーを介してガタつく受枠付きコンクリート縁巻きをその下方の頑丈なマンホール躯体で支持することにより、マンホールの内周壁面に上下方向に取り付けられた連結板が、上側のガタつき易い受枠付きコンクリート縁巻きをその下側の頑丈なマンホール躯体に強固に固定させるので、ガタつき易い受枠付きコンクリート縁巻きのガタつきを防止することができる。
このように、現状の既存マンホールを活かしながら最小の改修で既存マンホールを補強して、マンホール蓋が浮き上がり、マンホール内への人の転落、受枠付きコンクリート縁巻きのガタつきなどを防止し、改修費用の低廉化及び改修期間の短縮化並びに長寿命化を図ることができる。
【００１５】
また、請求項７の場合には、マンホール蓋を外すために、これを引き上げながらスライドさせようとしても、マンホール蓋の内周壁面に連結板を通じて固定された浮き上がり防止片受けに、蓋外し解除摘みの下部側が当接することで、それ以上スライドさせることができなくなり、これによって、マンホール蓋が部外者によって簡単に外されたり、マンホール内を上昇した乱流によってマンホール蓋が簡単に外れたりするのを防ぐことができる。
【図面の簡単な説明】
【００１６】
【図１】この考案を実施するための形態を示す全体側断面図である。
【図２】（Ａ）はこの考案を実施するための形態を示すマンホール蓋浮き上がり防止機構の正面図、（Ｂ）は同図（Ａ）のＢ−Ｂ矢視断面図である。
【図３】（Ａ）はこの考案を実施するための形態を示すマンホール蓋浮き上がり防止機構の側面図、（Ｂ）は同図（Ａ）のＢ−Ｂ矢視断面図である。
【図４】この考案を実施するための形態を示すマンホール蓋の下面側のマンホール蓋浮き上がり防止機構の平面図である。
【図５】（Ａ）はこの考案を実施するための形態を示すマンホール内への人の転落防止機構の平面図、（Ｂ）は同図（Ａ）のＢ−Ｂ矢視図、（Ｃ）は同図（Ａ）のＣ−Ｃ矢視図、（Ｄ）は同図（Ａ）のＤ−Ｄ矢視図である。
【図６】（Ａ）はこの考案を実施するための形態を示す受枠付きコンクリート縁巻きガタつき防止機構の側断面図、（Ｂ）は連結板の正面図である。
【考案を実施するための形態】
【００１７】
以下、図面に記載の考案を実施するための形態に基づいて、この考案をより具体的に説明する。
【００１８】
〔マンホール蓋浮き上がり防止機構１〕
図１〜図４において、マンホール蓋浮き上がり防止機構１は、集中豪雨などにより短時間に大量の雨水が下水道内に流れ込んで上昇した水位によりマンホール蓋４が浮き上がるのを防止するもので、浮き上がり防止片１１、浮き上がり防止片受け１４及び係合穴１５などから構成されている。
【００１９】
浮き上がり防止片１１は、例えば断面コ字型（図２（Ａ）では逆コ字型）になっていて、上板１１ａ、側板１１ｂ、及び下板１１ｃから形成されている。上板１１ａと下板１１ｃとは上下に平行になっていて、上下の上板１１ａと下板１１ｃは垂直な側板１１ｂで一体的に連結されている。つまり上板１１ａの他端側が下向きに折り曲げられて側板１１ｂとなり、側板１１ｂの下端側が水平向きに折り曲げられて下板１１ｃになっている。また、図面では下板１１ｃの方が上板１１ａより少し長くなっている。
【００２０】
上板１１ａは、マンホール蓋４の裏面、つまり下面に、連結ボルト１２によって直に取り付けられて固定される部分である。一方、下板１１ｃは、その先端側の一部が浮き上がり防止片受け１４の係合穴１５に入っていることで、マンホール蓋４を浮き上がらせる水圧が作用したときに、係合穴１５に入っている先端側の一部が係合穴１５の上辺１５ａに当たってその上向きの移動が阻止される構造になっている。
【００２１】
上板１１ａ及び下板１１ｃには上下方向に共通の貫通孔１１ｄがそれぞれ形成されている。同様に、上板１１ａが下面に取り付けられる箇所のマンホール蓋４には取付孔４１が形成されている。この取付孔４１及び上下の貫通孔１１ｄにはマンホール蓋４の表面側から連結ボルト１２が挿通されている。挿通された連結ボルト１２は、その下端側が下板１１ｃの貫通孔１１ｄを貫通して下方に突出し、その部分にはナット１２ａが螺合されている。このナット１２ａを締め付けることで、連結ボルト１２を通じて浮き上がり防止片１１をマンホール蓋４の所定の箇所の下面に取り付けて固定できる。
【００２２】
上板１１ａと下板１１ｃとの間の連結ボルト１２の挿通箇所には、中空の円筒形の配管パイプ１２ｂが取り付けられている。つまり連結ボルト１２はこの配管パイプ１２ｂの内部を挿通して取り付けられている。この配管パイプ１２ｂによって、コ字型の浮き上がり防止片１１が連結ボルト１２の過度の締め付けによって変形するのが防がれる。また、連結ボルト１２の外周側面及び上下の貫通孔１１ｄはこの配管パイプ１２ｂによって、下水に直に触れて腐蝕するのが防がれる。
【００２３】
回転防止片１３は、浮き上がり防止片１１を取り付けるときやナット１２ａが弛んだ場合に、浮き上がり防止片１１が連結ボルト１２の周りを空回りするのを防止するものである。回転防止片１３はその基端側が浮き上がり防止片１１の上板１１ａの下面に固着され、先端側はマンホール蓋４の内周側面に向けて延設され、その先端は内周側面に当接している。回転防止片１３の先端がマンホール蓋４の内周側面に当接することで、回転防止片１３を通じて浮き上がり防止片１１が空回りするのが防がれる。回転防止片１３の先端はマンホール蓋４の内周側面の平面形状に対応して、例えば斜めに形成されている。
【００２４】
浮き上がり防止片受け１４は、マンホール蓋４に固定された浮き上がり防止片１１の下板１１ｃの先端側と係合して、マンホール蓋４が浮き上がるのを防ぐものである。浮き上がり防止片受け１４は、マンホール５の内周壁５１に固定される後述の受枠付きコンクリート縁巻きガタつき防止機構３の連結板３１に取り付けられている。つまり浮き上がり防止片受け１４は連結板３１を通じてマンホール５の内周壁面５１に固定されている。
【００２５】
浮き上がり防止片受け１４は、例えば角形筒体の２つの隣り合う側面に係合穴１５が形成されたものから構成されている。角形筒体はその両端が開口され、開口された部分が上下に向くように連結板３１に取り付けられている。係合穴１５は浮き上がり防止片１１に向かい合う側面とマンホール５の中心側に向く側面とに形成されている。係合穴１５は、上辺１５ａ、左右の側辺１５ｂ及び下辺１５ｃによって、その開口穴の周囲が形成されている。図面では上辺１５ａ及び下辺１５ｃは上下で平行に形成され、左右の側辺１５ｂは垂直方向に形成されている。
【００２６】
この係合穴１５の内部に、前述したように、浮き上がり防止片１１の下板１１ｃの先端側の片側の角部分が挿入されている。そして、マンホール蓋４の浮き上がり時には、マンホール蓋４とともに浮き上がった浮き上がり防止片１１の下板１１ｃの挿入されている先端側の片側の角部分が係合穴１５の上辺１５ａに当接することで、浮き上がり防止片１１を通じてマンホール蓋４がそれ以上、上向きに移動して、マンホール５から外れるのを防止している。
【００２７】
浮き上がり防止片受け１４の角形筒体の連結板３１と密着する側面にはネジ孔１４ａが形成され、ネジ孔にはネジ１６がその先端が貫通するように螺入されている。ネジ１６の先端側は連結板３１に形成されたネジ孔３１ａに螺合されていて、浮き上がり防止片受け１４はこのネジ１６を通じてマンホール５の内周壁面５１に固定された連結板３１に取り付けられて固定される。
【００２８】
蓋外し解除摘み１７は、マンホール５内を上昇する乱流によってマンホール蓋４が簡単に外れたり、マンホール蓋４が部外者によって簡単に外されるのを防ぐものである。マンホール蓋４に上下方向に貫通して上下に移動自在に取り付けられ、しかもマンホール蓋４の蓋外し方向と平行な延長線上の上記浮き上がり防止片受け１４の直ぐ後方に、設けられている。蓋外し解除摘み１７の摘み頭部１７ａはマンホール蓋４の表面から突出する部分に設けられている。
【００２９】
蓋外し解除摘み１７が取り付けられるマンホール蓋４には摘み頭部１７ａの直径より小さな貫通するネジ孔４２が形成されている。蓋外し解除摘み１７の下部側面にはマンホール蓋４のネジ孔と螺合するネジ山１７ｂが形成されている。さらにネジ山１７ｂの下端にはマンホール蓋４のネジ孔４２の直径より大きい下端頭部１７ｃが形成されている。
【００３０】
マンホール蓋４の下面の周縁側に所定の高さ例えば４０ｍｍ前後、下向きに突起している周縁突起４３が形成され、その周縁突起４３の外周側面は中心側に向かって傾斜している。マンホール蓋４は重たいため、蓋４を外す場合には、マンホール蓋４の周縁突起４３の傾斜を利用して少し持ち上げるようにして引きずって手前にスライドさせて、蓋４をはずしている。
【００３１】
蓋外し解除摘み１７が設定状態のとき、つまり、蓋外し解除摘み１７が図２（Ａ）の実線の位置に下がっているときには、マンホール蓋４の端部を少し持ち上げるようにしながら、引きずって手前にスライドさせようとすると、マンホール蓋４の下面側に突出している蓋外し解除摘み１７の下端頭部１７ｃの側面部分が浮き上がり防止片受け１４の側面に当たり、蓋４を外したりすることができないのである。
【００３２】
蓋外し解除摘み１７の設定解除は、マンホール蓋４の表面に突出している摘み頭部１７ａを掴んで引き上げ、これを特定方向に回すと、蓋外し解除摘み１７の下部側面に螺旋状に形成されたネジ山１７ｂがマンホール蓋４に形成されたネジ孔４２に螺合する。これにより、蓋外し解除摘み１７の下端頭部１７ｃの側面部分が浮き上がり防止片受け１４の側面よりも上方に引き上げられて、当たることがなくなり、しかも、蓋外し解除摘み１７はマンホール蓋４のネジ孔４２に螺合されているので、蓋外しの作業中に下がることはなく、マンホール蓋４を外すときの妨げになることはない。
【００３３】
〔マンホール内への人の転落防止機構２〕
図１、図５において、マンホール内への人の転落防止機構２は、人がマンホール５内に転落するのを防止するもので、マンホール蓋４の直ぐ下側のマンホール５内に設置されて支持され、周縁外枠２１、格子桁２２、係止軸２３及び係止調整ボルト２４などから構成されている。
【００３４】
周縁外枠２１は、マンホール５内に入る大きさで平面からみて例えば八角形の形状に形成されている。八角形の周縁外枠２１の内部には、それぞれ２本の格子桁２２が平行な状態で縦横に交差して配置されている。各格子桁２２には例えば長軸のボルトが使用され、ボルトの両端にはネジ山が形成されている。周縁外枠２１には各格子桁２２の端部が貫通する孔がそれぞれ形成されている。各格子桁２２はその両端が周縁外枠２１の各貫通孔を貫通し、貫通する各ボルトの両端のネジ山にはナット２２ａがそれぞれ締め付けられている。
【００３５】
内部に縦横に交差する格子桁２２が配置されている周縁外枠２１の一対の向かい合う１辺の外側面の中央には、円形の係止軸２３が直径方向の外向きに溶接などにより固設されている。係止軸２３の先端部分は受枠付きコンクリート縁巻きガタつき防止機構３の連結板３１に形成された係止孔３１ｂに挿入されて取り付けられて支持される。
【００３６】
係止軸２３と同一延長線上になる向かい側の周縁外枠２１の中央には貫通孔が形成されている。貫通孔が形成された周縁外枠２１の外側面にはナット２４ａが溶接などにより固着されている。周縁外枠２１の内側からこのナット２４ａに螺合されて外側に向けて突出する係止調整ボルト２４が進退自在に装着されている。この係止調整ボルト２４には例えば蝶ボルトが使用される。係止調整ボルト２４の外側に向けて突出する先端部分は、周縁外枠２１の内側にある摘みを特定方向に回すことにより突出し、受枠付きコンクリート縁巻きガタつき防止機構３の連結板３１に形成された係止孔３１ｂに挿入されて取り付けられて支持される。
【００３７】
縦横に交差して配置されている格子桁２２とその外周側に形成された周縁外枠２１とは、直径方向の両端側に取り付けられた上記の係止軸２３と係止調整ボルト２４とにより、マンホール５の内周壁面５１に固定された連結板３１に支持されている。そして、格子桁２２及び周縁外枠２１がマンホール５の内周壁面５１に支持されることを通じて、マンホール５内に人が転落するのが防がれている。
【００３８】
〔受枠付きコンクリート縁巻きガタつき防止機構３〕
図１、図６において、受枠付きコンクリート縁巻きガタつき防止機構３は、受枠付きコンクリート縁巻き５３のガタつきを防止するもので、従来のように、ガタつく受枠付きコンクリート縁巻き５３それ自体をはつって新しく受枠付きコンクリート縁巻き５３を施工する必要がなく、コスト削減と時間の短縮の双方を同時に達成できる特徴がある。受枠付きコンクリート縁巻きガタつき防止機構３は、前記のマンホール蓋浮き上がり防止機構１及びマンホール内への人の転落防止機構２でも利用された連結板３１と、マンホール５の内周壁面５１に固定される被支持アンカー３２、支持アンカー３３などから構成される。
【００３９】
この連結板３１には、既に説明したように、マンホール蓋浮き上がり防止機構１の浮き上がり防止片受け１４を内周壁面５１に固定する際に利用されるネジ孔３１ａ、またマンホール内への人の転落防止機構２の周縁外枠２１を内周壁面５１に固定する際に利用される係止孔３１ｂが形成されている。
【００４０】
この連結板３１の本来の使用目的は、前記で既に記載以外に、ガタつく受枠付きコンクリート縁巻き５３を、その下方の高さ調整モルタル５５を介在して或いは直に構築されている頑丈なマンホール躯体５４に固定させるものである。このため、連結板３１は十分に強度のある鋼板などが使用され、縦長な長方形状の形状を有している。そして、連結板３１には、被支持アンカー孔３１ｃと支持アンカー孔３１ｄがさらに形成されている。
【００４１】
連結板３１には上側から下側に向かって、マンホール蓋浮き上がり防止機構１で利用されるネジ孔３１ａ、被支持アンカー孔３１ｃ、マンホール内への人の転落防止機構２で利用される係止孔３１ｂ、予備の孔、支持アンカー孔３１ｄがそれぞれ形成されている。予備の孔は係止孔３１ｂ又は支持アンカー孔３１ｄとして使用される。
【００４２】
連結板３１はマンホール５の内周壁面５１に上下向きに配置され、連結板３１の上部側の被支持アンカー孔３１ｃは、ガタつく受枠付きコンクリート縁巻き５３の内周壁面５１に臨んでいる。また、連結板３１の下部側の支持アンカー孔３１ｄは、頑丈なマンホール躯体５４の内周壁面５１に臨んでいる。
【００４３】
連結板３１の被支持アンカー孔３１ｃに貫通して取り付けられる被支持アンカー３２は、受枠付きコンクリート縁巻き５３側の内周壁面５１に打ち込まれる。これに対して、連結板３１の支持アンカー孔３１ｄに貫通して取り付けられる支持アンカー３３は、頑丈なマンホール躯体５４側の内周壁面５１に打ち込まれる。
【００４４】
被支持アンカー３２の連結板３１から突出する部分にはネジ山３２ａが形成され、このネジ山３２ａにはナット３２ｂが締め付けられている。同様に、支持アンカー３３の連結板３１から突出する部分にはネジ山３３ａが形成され、このネジ山３３ａにはナット３３ｂが締め付けられている。ガタつく受枠付きコンクリート縁巻き５３側は、被支持アンカー３２と連結板３１を通じて支持アンカー３３により頑丈なマンホール躯体５４側に支持されて、そのガタつきが防止されるのである。
【００４５】
次に、上記考案を実施するための形態の構成に基づく取り付け作業について以下説明する。
【００４６】
〔マンホール蓋浮き上がり防止機構１の取り付け〕
マンホール蓋浮き上がり防止機構１をマンホール蓋４に取り付ける場合には、マンホール蓋４の所定の箇所に、取付孔４１をドリルなどを使って穿設する。マンホール蓋４の表面から連結ボルト１２を取付孔４１に挿入し、マンホール蓋４の裏面側つまり下面側に貫通させる。マンホール蓋４の下面側に貫通した部分に、マンホール蓋４の下面側から浮き上がり防止片１１の上板１１ａ及び下板１１ｃの貫通孔１１ｄを貫通させる。
【００４７】
このとき、上板１１ａ及び下板１１ｃの当該貫通孔１１ｄの位置に該当する箇所に事前に配管パイプ１２ｂを取り付けておく。連結ボルト１２のマンホール蓋４の下面側に突出した部分は上板１１ａの貫通孔１１ｄ、配管パイプ１２ｂ、そして下板１１ｃの貫通孔１１ｄを貫通して、下板１１ｃの下面側にその先端側が突出する。この突出する連結ボルト１２の先端側にナット１２ａを螺合して締め付けることにより、浮き上がり防止片１１はマンホール蓋４の下面に固定される。
【００４８】
マンホール蓋４の下面に固定した浮き上がり防止片１１に係合する浮き上がり防止片受け１４をマンホール５の内周壁面５１に固定する。この作業は、受枠付きコンクリート縁巻き５３の位置にある内周壁面５１に被支持アンカー３２を打ち込む。被支持アンカー３２の基端側のネジ山３２ａの部分のみが内周壁面５１から露出する程度まで打ち込む。この被支持アンカー３２から下側のマンホール躯体５４の内周壁面５１の所定長さの位置に支持アンカー３３を打ち込む。この所定長さは、連結板３１の被支持アンカー孔３１ｃの位置から支持アンカー孔３１ｄの位置までと長さである。支持アンカー３３も同様に、基端側のネジ山３３ａの部分のみが内周壁面５１から露出する程度まで打ち込む。
【００４９】
次に連結板３１を被支持アンカー３２及び支持アンカー３３に取り付ける。連結板３１の被支持アンカー孔３１ｃを被支持アンカー３２のネジ山３２ａに貫通させ、連結板３１の支持アンカー孔３１ｄを支持アンカー３３のネジ山３３ａに貫通させる。貫通させた後、連結板３１の被支持アンカー孔３１ｃ及び支持アンカー孔３１ｄからそれぞれ突出するネジ山３２ａ、３３ａに、ナット３２ｂ、３３ｂをそれぞれ螺合し、締め付ける。これにより、連結板３１はマンホール５の内周壁面５１に上下方向に連結固定される。この場合、一般に、被支持アンカー３２、支持アンカー３３及び連結板３１はマンホール５の直径方向の向かい合う内周壁面５１にも同様に取り付けられる。
【００５０】
このとき、マンホール５の内周壁面５１に上下方向に取り付けられた連結板３１は、上側のガタつき易い受枠付きコンクリート縁巻き５３をその下側の頑丈なマンホール躯体５４に強固に固定させる働きがあり、ガタつき易い受枠付きコンクリート縁巻き５３はそのガタつきが防止される。受枠付きコンクリート縁巻き５３に打ち込まれた被支持アンカー３２、マンホール躯体５４に打ち込まれた支持アンカー３３及びこれらを連結する連結板３１は、受枠付きコンクリート縁巻きガタつき防止機構３を構成する。
【００５１】
マンホール５の内周壁面５１に上下方向に取り付けられて固定された連結板３１の上部側にはネジ孔３１ａが形成されている。このネジ孔３１ａに浮き上がり防止片受け１４を連結板３１の上部側に連結固定させるネジ１６の先端側を螺合することで、浮き上がり防止片受け１４を連結板３１の上部側に固定させることができる。浮き上がり防止片受け１４は連結板３１を通じて、マンホール５の内周壁面５１に固定されて支持されることになる。
【００５２】
このようにして、浮き上がり防止片１１はマンホール蓋４の下面に固定され、又これと係合する浮き上がり防止片受け１４はマンホール５の内周壁面５１に固定して支持されることになり、マンホール蓋４は浮き上がり防止片１１と浮き上がり防止片受け１４との係合により、マンホール５内を上昇した水圧によってマンホール蓋４が浮き上がるのが防止され、マンホール蓋浮き上がり防止機構１が完成することになる。
【００５３】
〔マンホール内への人の転落防止機構２の取り付け〕
続いて、マンホール内への人の転落防止機構２をマンホール５内に取り付ける場合には、工場で或いは現場で、周縁外枠２１の内部に格子桁２２は縦横に交差して、その両端側を周縁外枠２１の孔を貫通させてナット２２ａを螺合して締め付けて、格子桁２２を周縁外枠２１の内部に取り付ける。
【００５４】
内部に格子桁２２が縦横に配置された周縁外枠２１をマンホール蓋４の直ぐ下側のマンホール５内に取り付ける。周縁外枠２１の外側面に半径方向に突出された係止軸２３の先端をマンホール５の内周壁面５１に取り付けられた連結板３１の係止孔３１ｂに挿入して係止する。
【００５５】
係止軸２３の真反対側に取り付けられている係止調整ボルト２４の摘みを回してその先端側を、係止軸２３が取り付けられた連結板３１の真向かい側に取り付けられているもう一方の連結板３１の係止孔３１ｂに挿入し、さらに、係止調整ボルト２４の摘みを回し続けて、係止調整ボルト２４の先端を連結板３１の係止孔３１ｂに奥端となる内周壁面５１まで到達させて、マンホール５内に人が転落した場合に、これを完全に支えることができるように、強固に固定して内周壁面５１で支持させる。
【００５６】
このようにして、内部に格子桁２２が縦横に配置された周縁外枠２１を、係止軸２３及び係止調整ボルト２４と左右の連結板３１を通じて、向かい合う両側のマンホール５の内周壁面５１に強固に固定して支持させることができ、万が一にも、マンホール５内に人が転落ような事態が生じても、その直ぐ下側に取り付けた内部に格子桁２２を有する周縁外枠２１によって、確実に支えてマンホール５内に人が転落するのが防止され、マンホール内への人の転落防止機構２が完成することになる。
【００５７】
なお、この考案は上記考案を実施するための形態に限定されるものではなく、この考案の精神を逸脱しない範囲で種々の改変をなし得ることは勿論である。
【符号の説明】
【００５８】
１    マンホール蓋浮き上がり防止機構
１１    浮き上がり防止片
１１ａ  上板
１１ｂ  側板
１１ｃ  下板
１１ｄ  貫通孔
１２    連結ボルト
１２ａ  ナット
１２ｂ  配管パイプ
１３    回転防止片
１４    浮き上がり防止片受け
１４ａ  ネジ孔
１５    係合穴
１５ａ  上辺
１５ｂ  側辺
１５ｃ  下辺
１６    ネジ
１７    蓋外し解除摘み
１７ａ  摘み頭部
１７ｂ  ネジ山
１７ｃ  下端頭部
２    マンホール内への人の転落防止機構
２１    周縁外枠
２２    格子桁
２２ａ  ナット
２３    係止軸
２４    係止調整ボルト
２４ａ  ナット
３    受枠付きコンクリート縁巻きガタつき防止機構
３１    連結板
３１ａ  ネジ孔
３１ｂ  係止孔
３１ｃ  被支持アンカー孔
３１ｄ  支持アンカー孔
３２    被支持アンカー
３２ａ  ネジ山
３２ｂ  ナット
３３    支持アンカー
３３ａ  ネジ山
３３ｂ  ナット
４    マンホール蓋
４１    取付孔
４２    ネジ孔
４３    周縁突起
５    マンホール
５１    内周壁面
５２    受枠
５３    受枠付きコンクリート縁巻き
５４    マンホール躯体
５５    高さ調整モルタル
【図１】
0003177340.tif 000003
【図２】
0003177340.tif 000004
【図３】
0003177340.tif 000005
【図４】
0003177340.tif 000006
【図５】
0003177340.tif 000007
【図６】
0003177340.tif 000008